(57)【要約】【課題】システム効率を向上させ、リスクを低減することができる蓄電システムを提供する。【解決手段】太陽電池２によって発電された直流電力を蓄電する蓄電池３が接続された蓄電装置１を基本単位とし、複数の蓄電装置１を分散設置し、蓄電装置１間の電力融通を実施する蓄電システムであって、３以上の蓄電装置１が環状に分散設置され、蓄電装置１は、接続された蓄電地３の蓄電量を電力要求信号として隣接する他方の蓄電装置１に通知すると共に、隣接する一方の蓄電装置１から通知された電力要求信号に基づいて、隣接する一方の蓄電装置１への電力融通を実施する。【選択図】図１
2019083635.tif 000002
【特許請求の範囲】
【請求項１】
太陽電池によって発電された直流電力を蓄電する蓄電池が接続された蓄電装置を基本単位とし、複数の前記蓄電装置を分散設置し、前記蓄電装置間の電力融通を実施する蓄電システムであって、
３以上の前記蓄電装置が環状に分散設置され、
前記蓄電装置は、接続された前記蓄電池の蓄電量を電力要求信号として隣接する他方の前記蓄電装置に通知すると共に、隣接する一方の前記蓄電装置から通知された前記電力要求信号に基づいて、隣接する一方の前記蓄電装置への電力融通を実施することを特徴とする蓄電システム。
【請求項２】
前記蓄電装置は、前記電力要求信号によって、隣接する一方の前記蓄電装置に接続された前記蓄電池の蓄電量が第１閾値未満であることを通知されると、接続された前記蓄電池の蓄電量が第１閾値以上であることを条件に電力融通を実施することを特徴とする請求項１記載の蓄電システム。
【請求項３】
前記蓄電装置は、前記電力要求信号によって、隣接する一方の前記蓄電装置に接続された前記蓄電池の蓄電量が前記第１閾値以上で前記第１閾値より大きい第２閾値未満であることを通知されると、接続された前記蓄電池の蓄電量が前記第２閾値以上であることを条件に電力融通を実施することを特徴とする請求項２記載の蓄電システム。
【請求項４】
前記蓄電装置は、前記電力要求信号によって通知される前記蓄電池の蓄電量よりも、接続された前記蓄電池の蓄電量が上回っていることを条件に電力融通を実施することを特徴とする請求項１乃至３のいずれかに記載の蓄電システム。
【請求項５】
前記蓄電装置は、前記電力要求信号によって通知される前記蓄電池の蓄電量、接続された前記蓄電池の蓄電量とが同じ値になるまで電力融通を実施することを特徴とする請求項１乃至４のいずれかに記載の蓄電システム。
【請求項６】
前記蓄電装置は、前記太陽電池によって発電された直流電力を受電する最大電力点追従方式のＭＰＰＴＤＣ／ＤＣコンバータと、
前記蓄電池を充放電する双方向ＤＣ／ＤＣコンバータと、
前記ＭＰＰＴＤＣ／ＤＣコンバータと前記双方向ＤＣ／ＤＣコンバータとを接続するＤＣリンクと、
前記ＤＣリンクの直流電圧を前記太陽電池の電圧電流特性を有する直流電力に変換するＰＶ擬似ＤＣ／ＤＣコンバータとを具備し、
前記ＰＶ擬似ＤＣ／ＤＣコンバータによって変換された直流電力を隣接する一方の前記蓄電装置に電力融通すると共に、
隣接する他方の前記蓄電装置からの電力融通を前記ＭＰＰＴＤＣ／ＤＣコンバータによって受電することを特徴とする請求項１乃至５いずれかに記載の蓄電システム。
【発明の詳細な説明】
【技術分野】
【０００１】
本発明は、分散設置された複数の電力蓄電装置間で電力融通を行う蓄電システムに関する。
【背景技術】
【０００２】
近年、自然エネルギーの利用方法として、系統連系ではなく自己消費（自家消費）システムへのシフトが予想されている。自己消費システムとしては、例えば、防災拠点において、太陽電池装置で発電された電力を蓄電する蓄電装置が考えられる。また、ＥＶ（Electric Vehicle）やＰＨＶ（Plugin Hybrid Vehicle）の普及により、充電ステーションの拡充が行われているが、これらのエネルギー源として太陽電池装置付カーポート等で発電された電力を蓄電する蓄電装置の普及も考えられる。
【０００３】
さらに、これらの蓄電装置を分散設置した自立分散型電力ネットワークも研究され、各蓄電装置間で電力の融通制御を行う技術が提案されている（例えば、特許文献１参照）。
【先行技術文献】
【特許文献】
【０００４】
【特許文献１】特開２００６−２８８１６２号公報
【発明の概要】
【発明が解決しようとする課題】
【０００５】
しかしながら、従来技術では、需要家集団内で需要家間の電力融通制御を集中管理している。従って、電力融通制御を集中管理しているコントローラのダウンによりシステム全体の電力融通制御ができなくなるため、システム効率、リスク管理の面で問題が生じる。
【０００６】
本発明の目的は、従来技術の上記問題を解決し、システム効率を向上させ、リスクを低減することができる蓄電システムを提供することにある。
【課題を解決するための手段】
【０００７】
本発明の蓄電システムは、太陽電池によって発電された直流電力を蓄電する蓄電池が接続された蓄電装置を基本単位とし、複数の前記蓄電装置を分散設置し、前記蓄電装置間の電力融通を実施する蓄電システムであって、３以上の前記蓄電装置が環状に分散設置され、前記蓄電装置は、接続された前記蓄電池の蓄電量を電力要求信号として隣接する他方の前記蓄電装置に通知すると共に、隣接する一方の前記蓄電装置から通知された前記電力要求信号に基づいて、隣接する一方の前記蓄電装置への電力融通を実施することを特徴とする。
【発明の効果】
【０００８】
本発明によれば、電力融通制御の集中管理を行う必要がなく、隣接する蓄電装置１間で個別に電力融通を実施するため、システム効率を向上させ、リスクを低減することができるという効果を奏する。
【図面の簡単な説明】
【０００９】
【図１】本発明に係る蓄電システムの第１の実施の形態の構成例を示す構成図である。
【図２】図１に示す蓄電装置の構成を示す図である。
【図３】図１に示す蓄電装置による電力融通動作を説明する説明図である。
【図４】本発明に係る蓄電システムの第２の実施の形態の他の構成例を示す構成図である。
【図５】図４に示す蓄電装置の構成を示す図である。
【発明を実施するための形態】
【００１０】
以下、図を参照して本発明の実施の形態を詳細に説明する。なお、以下の実施の形態において、同様の機能を示す構成には、同一の符号を付して適宜説明を省略する。
【００１１】
（第１の実施の形態）
第１の実施の形態は、図１を参照すると、太陽電池２と、太陽電池２によって発電された直流電力を蓄電する蓄電池３と、負荷４とが接続された蓄電装置１を1つの基本単位とし、蓄電装置１を環状に分散設置し、蓄電池３の充電量に応じて蓄電装置１間の電力融通を実施する蓄電システムである。図１には、３台の蓄電装置１を環状に分散設置した例が示されているが、環状に分散設置するのであれば、蓄電装置１の台数に制限はない。
【００１２】
各蓄電装置１は、信号入力端子Ｔ１と、電力融通送電端子Ｔ２と、信号出力端子Ｔ３と、電力融通受電端子Ｔ４と、ＰＶ接続端子Ｔ５と、蓄電地接続端子Ｔ６と、負荷接続端子Ｔ７とをそれぞれ備えている。
【００１３】
信号入力端子Ｔ１は、隣接する一方の蓄電装置１からの電力要求信号が入力される端子であり、隣接する一方の蓄電装置１の信号出力端子Ｔ３と信号線６によって接続されている。また、信号出力端子Ｔ３は、隣接する他方の蓄電装置１に電力要求信号を出力する端子であり、隣接する他方の蓄電装置１の信号入力端子Ｔ１と信号線６によって接続されている。
【００１４】
電力融通送電端子Ｔ２は、隣接する一方の蓄電装置１に直流電力を送電する端子であり、隣接する一方の蓄電装置１の電力融通受電端子Ｔ４とＤＣ接続線５によって接続されている。電力融通受電端子Ｔ４は、隣接する他方の蓄電装置１から送電された直流電力を受電する端子であり、隣接する他方の蓄電装置１の電力融通送電端子Ｔ２とＤＣ接続線５によって接続されている。
【００１５】
ＰＶ接続端子Ｔ５には、接続箱２１を介して接続された太陽電池２によって発電された直流電力を受電する端子である。蓄電地接続端子Ｔ６は、接続された蓄電池３の充放電用の端子である。負荷接続端子Ｔ７は、接続された負荷４に電力を供給する端子である。
【００１６】
蓄電装置１は、図２を参照すると、ＭＰＰＴＤＣ／ＤＣコンバータ１１と、双方向ＤＣ／ＤＣコンバータ１２と、ＰＣＳ１３と、受電用ＤＣ／ＤＣコンバータ１４と、送電用ＤＣ／ＤＣコンバータ１５と、電流センサー１６と、充電量検出部１７と、融通制御部１８とを備えている。ＭＰＰＴＤＣ／ＤＣコンバータ１１、双方向ＤＣ／ＤＣコンバータ１２、ＰＣＳ１３、受電用ＤＣ／ＤＣコンバータ１４及び送電用ＤＣ／ＤＣコンバータ１５は、ＤＣリンク１０を介して接続されている。なお、Ｃ１は、ＤＣリンク１０の直流電圧を平滑化するために設けられたＤＣリンクコンデンサである。
【００１７】
ＭＰＰＴＤＣ／ＤＣコンバータ１１は、ＰＶ接続端子Ｔ５とＤＣリンク１０との間に接続され、太陽電池２によって発電された直流電力を受電する最大電力点追従方式（ＭＰＰＴ：Maximum Power Point Tracking）のＤＣ／ＤＣコンバータである。ＭＰＰＴＤＣ／ＤＣコンバータ１１は、太陽電池２から受電した直流電力をＤＣリンク１０に出力する。
【００１８】
双方向ＤＣ／ＤＣコンバータ１２は、蓄電地接続端子Ｔ６とＤＣリンク１０との間に接続され、蓄電池３を充放電する充放電器である。双方向ＤＣ／ＤＣコンバータ１２は、蓄電池３を充電する際、ＤＣリンク１０の直流電圧を蓄電池３の充電に適した電圧に変換して蓄電池３への充電を行う。また、双方向ＤＣ／ＤＣコンバータ１２は、蓄電池３から放電する際、蓄電池３の直流電圧をＤＣリンク１０の直流電圧に変換して蓄電池３からの放電を行う。
【００１９】
ＰＣＳ１３は、負荷接続端子Ｔ７とＤＣリンク１０との間に接続され、ＤＣリンク１０の直流電圧を負荷４に適した電力に変換して負荷４に供給するパワーコンディショナシステムである。
【００２０】
受電用ＤＣ／ＤＣコンバータ１４は、電力融通受電端子Ｔ４とＤＣリンク１０との間に接続され、隣接する他方の蓄電装置１からの直流電力をＤＣリンク１０の直流電圧に変換してＤＣリンク１０に出力する。
【００２１】
送電用ＤＣ／ＤＣコンバータ１５は、電力融通送電端子Ｔ２とＤＣリンク１０との間に接続され、ＤＣリンク１０の直流電圧を送電利用の直流電圧に変換して隣接する一方の蓄電装置１に送電する。
【００２２】
電流センサ１６は、蓄電池３が充放電される際、蓄電池３に流れる充放電電流を検出し、充電量検出部１７に出力する。
【００２３】
充電量検出部１７は、蓄電池３の充電量レベルとして、電流センサ１６によって検出された蓄電池３の充放電電流に基づいて、蓄電池３のＳＯＣ（State of charge）を算出する。充電量検出部１７は、蓄電池３の充電電流と、放電電流とそれぞれ積算し、その差分値に基づいてＳＯＣを算出する。なお、ＳＯＣの算出は、蓄電池３の端子電圧等に基づいて算出しても良く、蓄電値マネジメントコントローラで監視された情報を入手しても良い。
【００２４】
融通制御部１８は、ＣＰＵ（Central Processing Unit）、ＲＯＭ（Read Only Memory）、ＲＡＭ（Random Access Memory）等を備えたマイクロコンピュータ等の情報処理部である。ＲＯＭには蓄電装置１（ＭＰＰＴＤＣ／ＤＣコンバータ１１、双方向ＤＣ／ＤＣコンバータ１２、ＰＣＳ１３、受電用ＤＣ／ＤＣコンバータ１４及び送電用ＤＣ／ＤＣコンバータ１５）の動作制御を行うための制御プログラムが記憶されている。融通制御部１８は、ＲＯＭに記憶されている制御プログラムを読み出し、制御プログラムをＲＡＭに展開させることで、指示情報に応じて装置全体の制御を行う。
【００２５】
融通制御部１８は、充電量検出部１７によって算出されたＳＯＣに基づく電力要求信号を信号出力端子Ｔ３から隣接する他方の蓄電装置１に出力する。電力要求信号は、蓄電池３の充電量を表す信号であり、融通制御部１８は、ＳＯＣが第１閾値未満の第１状態である場合、電力要求信号も第１状態に設定し、ＳＯＣが第１閾値以上で第１閾値より大きい第２閾値未満の第２状態である場合、電力要求信号も第２状態に設定し、ＳＯＣが第２閾値以上の第３状態である場合、電力要求信号も第３状態に設定する。なお、第１閾値は、接続されている負荷４への電力供給がおぼつかなくなってしまう虞がある値、例えば、２０〜３０％に設定されている。また、第２閾値は、接続されている負荷４への電力供給に余裕がある値、例えば、７０〜８０％に設定されている。
【００２６】
また、融通制御部１８は、信号入力端子Ｔ１に隣接する一方の蓄電装置１から入力される電力要求信号と、充電量検出部１７によって算出されたＳＯＣとに基づいて、隣接する一方の蓄電装置１に電力を融通するか否かを判断する。
【００２７】
以下、蓄電装置１による電力融通動作について図３を参照して詳細に説明する。なお、図３において、蓄電装置１ａから見て蓄電装置１ｂを隣接する一方の蓄電装置１とし、蓄電装置１ｂから見て蓄電装置１ａを隣接する他方の蓄電装置１とする。
【００２８】
図３（ａ）に示すように、蓄電装置１ｂに接続された蓄電池３が第１状態である場合、蓄電装置１ｂの融通制御部１８は、電力要求信号も第１状態に設定する。蓄電装置１ｂから入力される電力要求信号が第１状態である場合、蓄電装置１ａの融通制御部１８は、蓄電装置１ａに接続された蓄電池３が第２状態もしくは第３状態（ＳＯＣが第１閾値以上）であることを条件に、双方向ＤＣ／ＤＣコンバータ１２を放電方向に起動すると共に送電用ＤＣ／ＤＣコンバータ１５を起動し、蓄電池３から放電した直流電力を蓄電装置１ｂに融通する。
【００２９】
また、蓄電装置１ｂに接続された蓄電池３が第１状態である場合、蓄電装置１ｂの融通制御部１８は、受電用ＤＣ／ＤＣコンバータ１４を起動し、蓄電装置１ａから受電を待機する。そして、受電用ＤＣ／ＤＣコンバータ１４によって蓄電装置１ａから直流電力が受電されると、蓄電装置１ｂの融通制御部１８は、双方向ＤＣ／ＤＣコンバータ１２を充電方向に起動し、蓄電装置１ａから受電された直流電力を蓄電池３に充電する。これにより、蓄電装置１ｂに接続された蓄電地３の充電量が、接続されている負荷４への電力供給がおぼつかなくなってしまう虞があるＳＯＣ（第１閾値）を下回った場合、蓄電装置１ａからの電力融通によって充電量を回復させることができる。
【００３０】
図３（ｂ）に示すように、蓄電装置１ｂに接続された蓄電池３が第２状態である場合、蓄電装置１ｂの融通制御部１８は、電力要求信号も第２状態に設定する。蓄電装置１ｂから入力される電力要求信号が第２状態である場合、蓄電装置１ａの融通制御部１８は、蓄電装置１ａに接続された蓄電池３が第３状態（ＳＯＣが第２閾値以上）であることを条件に、双方向ＤＣ／ＤＣコンバータ１２を放電方向に起動すると共に送電用ＤＣ／ＤＣコンバータ１５を起動し、蓄電池３から放電した直流電力を蓄電装置１ｂに融通する。
【００３１】
また、蓄電装置１ｂに接続された蓄電池３が第２状態である場合、蓄電装置１ｂの融通制御部１８は、受電用ＤＣ／ＤＣコンバータ１４を起動し、蓄電装置１ａから受電を待機する。そして、受電用ＤＣ／ＤＣコンバータ１４によって蓄電装置１ａから直流電力が受電されると、蓄電装置１ｂの融通制御部１８は、双方向ＤＣ／ＤＣコンバータ１２を充電方向に起動し、蓄電装置１ａから受電された直流電力を蓄電池３に充電する。これにより、蓄電装置１ａに接続された蓄電地３の充電量が余裕のあるＳＯＣ（第２閾値）を上回った場合、電力融通によって蓄電装置１ａの余剰電力を蓄電装置１ｂに吸収させることができる。
【００３２】
蓄電装置１ｂに接続された蓄電池３が第３状態である場合、蓄電装置１ｂの融通制御部１８は、電力要求信号も第３状態に設定する。蓄電装置１ｂから入力される電力要求信号が第３状態である場合、蓄電装置１ａの融通制御部１８は、蓄電装置１ｂへの電力融通を実行しない。
【００３３】
また、日中、蓄電装置１ａに接続された太陽電池２が発電状態である場合、蓄電装置１ｂへの電力融通に太陽電池２によって発電された直流電力を用いることもできる。
【００３４】
さらに、本実施の形態では、蓄電池３の充電量を電力要求信号として第１〜３状態に分けて通知するように構成したが、電力要求信号としてＳＯＣの値自体を通知するようにしても良い。この場合には、電力要求信号が入力された蓄電装置１ａ側で、蓄電装置１ｂに接続された蓄電池３の充電量が第１〜３状態のいずれであるかを判断する。
【００３５】
さらに、電力要求信号としてＳＯＣの値自体を通知する場合、ＳＯＣが同じ値になるまで、電力融通を実施するようにしても良い。この場合、電力要求信号が入力された蓄電装置１は、自装置に接続された蓄電池３のＳＯＣが、電力要求信号のＳＯＣを上回っている場合に、電力融通を実施すると良い。
【００３６】
（第２の実施の形態）
第２の実施の形態は、図４を参照すると、第１の実施の形態と同様に、太陽電池２と、太陽電池２によって発電された直流電力を蓄電する蓄電池３と、負荷４とが接続された蓄電装置１’を1つの基本単位とし、蓄電装置１を環状に分散設置し、蓄電池３の充電量に応じて蓄電装置１’間の電力融通を実施する蓄電システムである。
【００３７】
蓄電装置１’には、電力融通受電端子Ｔ４が設けられておらず、ＰＶ接続端子Ｔ５が隣接する他方の蓄電装置１’の電力融通送電端子Ｔ２とＤＣ接続線５によって接続されている。
【００３８】
蓄電装置１’では、図５を参照すると、送電用ＤＣ／ＤＣコンバータ１５の代わりに、ＰＶ擬似ＤＣ／ＤＣコンバータ１５ａが電力融通送電端子Ｔ２とＤＣリンク１０との間に接続されている。
【００３９】
ＰＶ擬似ＤＣ／ＤＣコンバータ１５ａは、電力融通に際し、ＤＣリンク１０の直流電圧を太陽電池２の電圧電流特性を有する直流電力に変換して電力融通送電端子Ｔ２から出力する。これにより、電力融通を受ける側の蓄電装置１’では、ＭＰＰＴＤＣ／ＤＣコンバータ１１によって受電することができる。なお、ＭＰＰＴＤＣ／ＤＣコンバータ１１としては、太陽電池２の出力定格とＰＶ擬似ＤＣ／ＤＣコンバータ１５ａの出力定格とを加算したよりも大きい入力定格を有するものを用いる。
【００４０】
以上説明したように、本実施の形態によれば、太陽電池２によって発電された直流電力を蓄電する蓄電池３が接続された蓄電装置１を基本単位とし、複数の蓄電装置１を分散設置し、蓄電装置１間の電力融通を実施する蓄電システムであって、３以上の蓄電装置１が環状に分散設置され、蓄電装置１は、接続された蓄電地３の蓄電量を電力要求信号として隣接する他方の蓄電装置１に通知すると共に、隣接する一方の蓄電装置１から通知された電力要求信号に基づいて、隣接する一方の蓄電装置１への電力融通を実施する。
この構成により、電力融通制御の集中管理を行う必要がなく、隣接する蓄電装置１間で個別に電力融通を実施するため、システム効率を向上させ、リスクを低減することができる。また、蓄電装置１を環状に分散設置し、電力融通の方向を１方向に限定しているため、基本単位である蓄電装置１を同一構成とすることができ、蓄電装置１の増設や撤去を簡単に行うことができる。そして、蓄電装置１の増設や撤去の際には、隣接する蓄電装置１間にＤＣ接続線５及び信号線６を結線するだけで良いため、設置コストもしくは撤去コストを低減することができる。
【００４１】
さらに、本実施の形態は、蓄電装置１は、電力要求信号によって、隣接する一方の蓄電装置１に接続された蓄電地３の蓄電量が第１閾値未満であることを通知されると、接続された蓄電地３の蓄電量が第１閾値以上であることを条件に電力融通を実施する。
この構成により、接続された蓄電地３の充電量が、接続されている負荷４への電力供給がおぼつかなくなってなってしまう虞があるＳＯＣ（第１閾値）を下回った場合、電力融通によって充電量を回復させることができる。
【００４２】
さらに、本実施の形態は、蓄電装置１は、電力要求信号によって、隣接する一方の蓄電装置１に接続された蓄電地３の蓄電量が第１閾値以上で第１閾値より大きい第２閾値未満であることを通知されると、接続された蓄電地３の蓄電量が第２閾値以上であることを条件に電力融通を実施する。
この構成により、接続された蓄電地３の充電量が余裕のあるＳＯＣ（第２閾値）を上回った場合、電力融通によって余剰電力を隣接する蓄電装置１に吸収させることができる。
【００４３】
さらに、本実施の形態は、蓄電装置１は、電力要求信号によって通知される蓄電地３の蓄電量よりも、接続された蓄電地３の蓄電量が上回っていることを条件に電力融通を実施する。
この構成により、各蓄電装置１に接続されたそれぞれの蓄電地３の蓄電量を均一化することができ、エネルギー効率を向上させることができる。
【００４４】
さらに、本実施の形態は、蓄電装置１は、電力要求信号によって通知される蓄電地３の蓄電量、接続された蓄電地３の蓄電量とが同じ値になるまで電力融通を実施する。
この構成により、各蓄電装置１に接続されたそれぞれの蓄電地３の蓄電量をさらに均一化することができ、エネルギー効率を向上させることができる。
【００４５】
さらに、本実施の形態は、蓄電装置１’は、太陽電池２によって発電された直流電力を受電する最大電力点追従方式のＭＰＰＴＤＣ／ＤＣコンバータ１１と、蓄電地３を充放電する双方向ＤＣ／ＤＣコンバータ１２と、ＭＰＰＴＤＣ／ＤＣコンバータと双方向ＤＣ／ＤＣコンバータとを接続するＤＣリンク１０と、ＤＣリンクの直流電圧を太陽電池２の電圧電流特性を有する直流電力に変換するＰＶ擬似ＤＣ／ＤＣコンバータ１５ａとを具備し、ＰＶ擬似ＤＣ／ＤＣコンバータ１５ａによって変換された直流電力を隣接する一方の蓄電装置１に電力融通すると共に、隣接する他方の蓄電装置１からの電力融通をＭＰＰＴＤＣ／ＤＣコンバータ１１によって受電する。
この構成により、電力融通を受電する専用の端子とＤＣ／ＤＣコンバータとを必要なくなり、蓄電装置１’のコストを低減させることができる。
【００４６】
以上、本発明を具体的な実施形態で説明したが、上記実施形態は一例であって、本発明の趣旨を逸脱しない範囲で変更して実施できることは言うまでもない。
【符号の説明】
【００４７】
１、１’、１ａ、１ｂ  蓄電装置
２  太陽電池
３  蓄電池
４  負荷
５  ＤＣ接続線
６  信号線
１０  ＤＣリンク
１１  ＭＰＰＴＤＣ／ＤＣコンバータ
１２  双方向ＤＣ／ＤＣコンバータ
１３  ＰＣＳ
１４  受電用ＤＣ／ＤＣコンバータ
１５  送電用ＤＣ／ＤＣコンバータ
１５ａ  ＰＶ擬似ＤＣ／ＤＣコンバータ
１６  電流センサ
１７  充電量検出部
１８  融通制御部
２１  接続箱
Ｔ１  信号入力端子
Ｔ２  電力融通送電端子
Ｔ３  信号出力端子
Ｔ４  電力融通受電端子
Ｔ５  ＰＶ接続端子
Ｔ６  蓄電地接続端子
Ｔ７  負荷接続端子
【図１】
2019083635.tif 000003
【図２】
2019083635.tif 000004
【図３】
2019083635.tif 000005
【図４】
2019083635.tif 000006
【図５】
2019083635.tif 000007